(57)【要約】【課題】受光に伴う温度上昇を抑制することができる冷却装置及び該冷却装置を備える流体噴射装置を提供する。【解決手段】プリンターに備えられる冷却装置１６は、用紙Ｓに付着したインクの硬化を促進する光を照射する光照射装置に対向する位置に配置され、光を受光する受光位置に一部分が配置されるときに他の部分が受光位置と離間した非受光位置に配置される受光ローラー３１を備え、受光ローラー３１は、規定されたタイミングで受光位置に配置される部分と非受光位置に配置される部分とが入れ替わるように回転する。【選択図】図３
2011126153.tif 000002
【特許請求の範囲】
【請求項１】
媒体に付着した流体の硬化を促進する光を照射する光照射装置に対向する位置に配置され、前記光を受光する受光位置に一部分が配置されるときに他の部分が前記受光位置と離間した非受光位置に配置される放熱部材を備え、
該放熱部材は、規定されたタイミングで前記受光位置に配置される部分と前記非受光位置に配置される部分とが入れ替わるように動作することを特徴とする冷却装置。
【請求項２】
前記放熱部材は受光ローラーであり、
該受光ローラーは軸線が前記媒体の搬送方向に沿うように配置されることを特徴とする請求項１に記載の冷却装置。
【請求項３】
前記受光位置付近の空気を吸引する吸引機構をさらに備え、
該吸引機構は、前記光照射装置と前記放熱部材との間に位置する前記媒体の端部付近を前記媒体の中央部よりも強く吸引することを特徴とする請求項１又は請求項２に記載の冷却装置。
【請求項４】
前記放熱部材には複数の通気孔が設けられ、
該通気孔の開口面積は前記媒体の搬送方向において下流側よりも上流側の方が大きいことを特徴とする請求項３に記載の冷却装置。
【請求項５】
媒体に流体を噴射する流体噴射ヘッドと、前記媒体の搬送路と、該搬送路の幅方向の一方側において前記流体噴射ヘッドを前記搬送路に対向させて片持ち支持する支持板と、前記媒体に付着した流体の硬化を促進する光を照射する光照射装置とを有する流体噴射装置に備えられ、
前記放熱部材には複数の通気孔が設けられ、
該通気孔の開口面積は、前記搬送路の幅方向において、前記一方側よりも他方側の方が大きいことを特徴とする請求項３又は請求項４に記載の冷却装置。
【請求項６】
媒体に流体を噴射する流体噴射ヘッドと、
前記媒体に付着した流体の硬化を促進する光を照射する光照射装置と、
請求項１〜請求項５のうち何れか一項に記載の冷却装置とを備える流体噴射装置。
【発明の詳細な説明】
【技術分野】
【０００１】
本発明は、冷却装置及び該冷却装置を備える流体噴射装置に関する。
【背景技術】
【０００２】
従来、インクジェット式プリンターなどの流体噴射装置には、いわゆる紫外線硬化型インクを噴射する流体噴射ヘッドと、着弾したインクの硬化を促進するために紫外線を含む光を照射する光照射装置と、光照射装置と対向する位置に配置された冷却装置とを備えたものがあった。（例えば、特許文献１）。
【０００３】
特許文献１のインクジェット式プリンター（画像記録装置）に備えられた冷却装置は、放熱のためのフィンと、そのフィンを冷却するための冷却ファンとを備えていた。そして、光照射装置と対向する位置に配置される被照射プラテンの裏側にフィンを配置することで、被照射プラテンを冷却するようにしていた。
【先行技術文献】
【特許文献】
【０００４】
【特許文献１】特開２００５−９６３７４号公報
【発明の概要】
【発明が解決しようとする課題】
【０００５】
ところで、特許文献１のプリンターにおいては、光の照射を受ける被照射プラテンやフィンがかなりの高温となるため、冷却装置の熱がその周辺に位置する媒体（印刷用紙）や装置に悪影響を与える虞があった。
【０００６】
本発明は、上記問題点に鑑みてなされたものであり、その目的は、受光に伴う温度上昇を抑制することができる冷却装置及び該冷却装置を備える流体噴射装置を提供することにある。
【課題を解決するための手段】
【０００７】
上記目的を達成するために、本発明の冷却装置は、媒体に付着した流体の硬化を促進する光を照射する光照射装置に対向する位置に配置され、前記光を受光する受光位置に一部分が配置されるときに他の部分が前記受光位置と離間した非受光位置に配置される放熱部材を備え、該放熱部材は、規定されたタイミングで前記受光位置に配置される部分と前記非受光位置に配置される部分とが入れ替わるように動作する。
【０００８】
この構成によれば、放熱部材は光を受光する受光位置に一部分が配置されるときに他の部分が受光位置と離間した非受光位置に配置され、規定されたタイミングで受光位置に配置される部分と非受光位置に配置される部分とが入れ替わるように動作するので、非受光位置での放熱時間を確保して受光に伴う温度上昇を抑制することができる。
【０００９】
本発明の冷却装置において、前記放熱部材は受光ローラーであり、該受光ローラーは軸線が前記媒体の搬送方向に沿うように配置される。
この構成によれば、放熱部材は受光ローラーであるので、回転に伴って受光位置に配置される部分と非受光位置に配置される部分とを効率よく入れ替えることができる。また、受光ローラーは軸線が媒体の搬送方向に沿うように配置されるので、媒体の巻き込みを抑制することができる。
【００１０】
本発明の冷却装置において、前記受光位置付近の空気を吸引する吸引機構をさらに備え、該吸引機構は、前記光照射装置と前記放熱部材との間に位置する前記媒体の端部付近を前記媒体の中央部よりも強く吸引する。
【００１１】
この構成によれば、吸引機構は、光照射装置と放熱部材との間に位置する媒体の端部付近を媒体の中央部よりも強く吸引するので、媒体の光照射装置に対する接触を抑制することができる。
【００１２】
本発明の冷却装置において、前記放熱部材には複数の通気孔が設けられ、該通気孔の開口面積は前記媒体の搬送方向において下流側よりも上流側の方が大きい。
この構成によれば、放熱部材には複数の通気孔が設けられるので、通気孔を介して受光位置付近の空気を吸引することができる。また、通気孔の開口面積は媒体の搬送方向において下流側よりも上流側の方が大きいので、搬送方向の上流側における吸引量を増すことができる。これにより、空気中に浮遊する紙粉やインクミストなどの浮遊物質を効率よく吸引して、浮遊物質の付着による通気孔の閉塞を抑制することができる。
【００１３】
本発明の冷却装置は、媒体に流体を噴射する流体噴射ヘッドと、前記媒体の搬送路と、該搬送路の幅方向の一方側において前記流体噴射ヘッドを前記搬送路に対向させて片持ち支持する支持板と、前記媒体に付着した流体の硬化を促進する光を照射する光照射装置とを有する流体噴射装置に備えられ、前記放熱部材には複数の通気孔が設けられ、該通気孔の開口面積は、前記搬送路の幅方向において、前記一方側よりも他方側の方が大きい。
【００１４】
この構成によれば、流体噴射ヘッドは支持板に片持ち支持されるので、搬送路の幅方向においては、支持板に近い一方側よりも開放された他方側の方が空気の流量や流速が大きい傾向がある。そして、通気孔の開口面積は搬送路の幅方向において一方側よりも他方側の方が大きいので、浮遊物質を効率よく吸引することができる。
【００１５】
上記目的を達成するために、本発明の流体噴射装置は、媒体に流体を噴射する流体噴射ヘッドと、前記媒体に付着した流体の硬化を促進する光を照射する光照射装置と、上記冷却装置とを備える。
【００１６】
この構成によれば、上記冷却装置と同様の作用効果を得ることができる。
【図面の簡単な説明】
【００１７】
【図１】第１実施形態のプリンターの概略構成を示す正面図。
【図２】図１におけるＡ―Ａ線矢視端面図。
【図３】第１実施形態の冷却装置の概略構成を示す側面図。
【図４】図３におけるＢ―Ｂ線矢視断面図。
【図５】第２実施形態の冷却装置の概略構成を説明するための断面図。
【図６】図５におけるＣ―Ｃ線矢視断面図。
【図７】第３実施形態の冷却装置の概略構成を説明するための断面図。
【図８】図７におけるＤ―Ｄ線矢視断面図。
【図９】第４実施形態の冷却装置の概略構成を示す断面図。
【図１０】図９におけるＥ―Ｅ線矢視断面図。
【図１１】第５実施形態の冷却装置の概略構成を説明するための断面図。
【発明を実施するための形態】
【００１８】
（第１実施形態）
始めに、本発明を流体噴射装置の一種であるインクジェット式プリンター（以下、単に「プリンター」という）に具体化した実施形態を図１〜図４を用いて説明する。なお、以下の説明において、「前後方向」、「左右方向」、「上下方向」をいう場合は、各図中に矢印で示した方向を基準として示すものとする。
【００１９】
図１に示すプリンター１１は、支持板１２、搬送機構１３、ヘッドユニット１４、光照射装置１５及び冷却装置１６を備えている。搬送機構１３は、搬送路を構成するプラテンドラム２０、回転軸２１、給紙ローラー２２、第１ローラー２３、第２ローラー２４及び巻取ローラー２５を備える。媒体としての用紙Ｓは長尺紙で、給紙ローラー２２から巻き解かれて第１ローラー２３、プラテンドラム２０及び第２ローラー２４に巻き掛けられ、巻取ローラー２５に巻き取られる。
【００２０】
図２に示すように、プラテンドラム２０は前後方向と一致する幅方向Ｙに沿って軸線が延びる円柱形状をなし、図示しない搬送モーターの駆動に伴って回転する回転軸２１に一体回転可能な態様で支持されている。また、回転軸２１は支持板１２に片持ち支持されている。なお、用紙Ｓは所定の張力を有してプラテンドラム２０に巻き掛けられ、給紙ローラー２２、プラテンドラム２０及び巻取ローラー２５の回転に伴って搬送される。
【００２１】
図１に示すように、ヘッドユニット１４はプラテンドラム２０を囲むように複数（本実施形態では６つ）配置されている。なお、ヘッドユニット１４の数は任意に設定することができる。各ヘッドユニット１４は、プラテンドラム２０と対向する部分に紫外線と反応して硬化する流体としての紫外線硬化型インク（以下、単に「インク」という）を用紙Ｓに対して噴射する流体噴射ヘッド２６を備えている。
【００２２】
すなわち、支持板１２は幅方向Ｙの一方側（後方側）において、ヘッドユニット１４を介して流体噴射ヘッド２６をプラテンドラム２０に対向させて片持ち支持する態様となっている。そして、裏面側がプラテンドラム２０に巻き掛けられた用紙Ｓは、その表面側に流体噴射ヘッド２６から噴射されたインクを受容し、図１に矢印で示す搬送方向Ｘに沿って第２ローラー２４の方へ搬送される。
【００２３】
光照射装置１５は、搬送方向Ｘにおいてヘッドユニット１４の下流側に、用紙Ｓのインクを受容する表面と対向する態様で配置され、用紙Ｓに付着したインクＩｎ（図４参照）の硬化を促進する光を照射する。光照射装置１５は、紫外線を含む光を照射する光源２７と、光源２７から照射される光が用紙Ｓの表面に向けて照射されるように光の照射方向を調整する反射鏡２８とを備えている。光源２７は例えばメタルハライドランプが使用され、プリンター１１で使用される用紙Ｓの最大幅以上の幅に対して光を照射可能になっている。
【００２４】
冷却装置１６は用紙Ｓの厚さ方向Ｚ（図４参照）において光照射装置１５と用紙Ｓを介して対向するように、用紙Ｓの裏面側に配置される。なお、光照射装置１５及び冷却装置１６は何れも用紙Ｓと接触しないように、所定の離間距離を有して支持板１２に固定されている。
【００２５】
図３に示すように、冷却装置１６は複数の放熱機構３０を備えている。なお、放熱機構３０の設置数は任意に設定することができる。各放熱機構３０は、光照射装置１５に対向する位置に配置される放熱部材としての受光ローラー３１と、吸引機構を構成する吸引ファン３２と、受光ローラー３１を回転させるための駆動源であるモーター３３とを備え、搬送方向Ｘと直交する幅方向Ｙに沿って並設されている。
【００２６】
受光ローラー３１はその軸線が用紙Ｓの搬送方向Ｘに沿うように配置されている。また、吸引ファン３２は受光ローラー３１の搬送方向Ｘにおける上流側に設けられている一方、モーター３３は受光ローラー３１の搬送方向Ｘにおける下流側に設けられている。受光ローラー３１は熱伝導率の高い材料から構成され、その表面には複数の通気孔３１ａが設けられている。通気孔３１ａは、搬送方向Ｘにおける上流側ほどその開口面積が大きくなっている。
【００２７】
図４に示すように、受光ローラー３１の内部には通気孔３１ａと連通する空洞が設けられていて、吸引ファン３２は受光ローラー３１の空洞内の空気を吸引するようになっている。また、受光ローラー３１は、幅方向Ｙにおいて用紙Ｓの幅よりも広い範囲に敷設されている。各放熱機構３０の吸引ファン３２は個別に吸引力が調整可能になっている。そして、各放熱機構３０の吸引ファン３２は、幅方向Ｙにおいて、光照射装置１５と受光ローラー３１との間に位置する用紙Ｓの端部付近を用紙Ｓの中央部よりも強く吸引するように吸引力が調整される。
【００２８】
次に、冷却装置１６の作用について説明する。
用紙Ｓが給紙ローラー２２から巻取ローラー２５に向かって搬送されると、プラテンドラム２０に巻き掛けられた用紙Ｓの表面に各流体噴射ヘッド２６からインクが順次噴射される。その後、搬送方向Ｘに搬送された用紙Ｓは、光照射装置１５の光を受光する受光位置において表面に光の照射を受け、付着したインクＩｎの乾燥が促進される。このとき、メタルハライドランプなどの光源２７から照射される光には紫外線以外の成分も含まれることから、光照射装置１５に加えて光の照射を受ける用紙Ｓや冷却装置１６の温度上昇を招いてしまう。
【００２９】
そこで、冷却装置１６に備えられた各放熱機構３０のモーター３３を駆動して、受光ローラー３１を回転させる。すると、受光ローラー３１は光照射装置１５の光を受光する受光位置に一部分が配置されるときに他の部分が受光位置と離間した非受光位置に配置されるので、回転速度に応じて規定されるタイミングで受光位置に配置される部分と非受光位置に配置される部分とが入れ替わるように動作（回転）する。すなわち、受光ローラー３１は受光位置では受光部材として機能する一方、受光によって生じた熱を放熱する放熱部材として機能する。
【００３０】
したがって、受光ローラー３１の受光位置で温度上昇した部分が非受光位置となる裏側に移動すると、再度受光位置に至るまでの間に放熱時間が確保される。そして、受光ローラー３１の回転に伴って、放熱により温度が下がった部分が順次受光位置に配置されるので、受光に伴う受光ローラー３１の温度上昇が抑制される。
【００３１】
また、各放熱機構３０の吸引ファン３２が駆動されると、通気孔３１ａを通じて受光位置付近の空気が吸引される。すると、吸引された空気が光照射装置１５、用紙Ｓ及び受光ローラー３１の熱を奪いつつ、空洞内を流れて図示しない排気ダクトを通じて排気される。すなわち、発生した熱が排熱されるので、光照射装置１５、用紙Ｓ及び受光ローラー３１が冷却される。特に、用紙Ｓの幅が狭い場合には、間に用紙Ｓを介さずに受光ローラー３１が光を直接受光することになるが、吸引ファン３２は幅方向Ｙにおいて用紙Ｓの端部付近を強く吸引するように吸引力が調整されるので、受光に伴う温度上昇が大きい受光ローラー３１が効率よく冷却される。
【００３２】
以上説明した第１実施形態によれば、以下のような効果を得ることができる。
（１）受光ローラー３１は光を受光する受光位置に一部分が配置されるときに他の部分が受光位置と離間した非受光位置に配置され、規定されたタイミングで受光位置に配置される部分と非受光位置に配置される部分とが入れ替わるように回転するので、非受光位置での放熱時間を確保して受光に伴う温度上昇を抑制することができる。これにより、発熱に伴う周辺の装置や用紙Ｓに対する影響を抑制することができる。
【００３３】
（２）受光ローラー３１の回転により、受光位置に配置される部分と非受光位置に配置される部分とを効率よく入れ替えることができる。また、受光ローラー３１は軸線が用紙Ｓの搬送方向Ｘに沿うように配置されるので、用紙Ｓの巻き込みを抑制することができる。
【００３４】
（３）吸引ファン３２は、光照射装置１５と受光ローラー３１との間に位置する用紙Ｓの端部付近を用紙Ｓの中央部よりも強く吸引するので、用紙Ｓの光照射装置１５に対する接触を抑制することができる。
【００３５】
（４）受光ローラー３１には複数の通気孔３１ａが設けられるので、通気孔３１ａを介して受光位置付近の空気を吸引することができる。また、吸引ファン３２は搬送方向Ｘの上流側に設けられ、通気孔３１ａの開口面積は用紙Ｓの搬送方向Ｘにおいて下流側よりも上流側の方が大きいので、搬送方向Ｘの上流側における吸引量を増すことができる。これにより、空気中に浮遊する紙粉やインクミストなどの浮遊物質を効率よく吸引して、浮遊物質の付着による通気孔３１ａの閉塞を抑制することができる。
【００３６】
（５）放熱部材を受光ローラー３１にすることで、小さなスペースで効率よく放熱を行うことができる。また、複数の受光ローラー３１を幅方向Ｙに沿って並設することで、用紙Ｓの幅に応じて幅方向Ｙにおける冷却範囲や吸引力を任意に調節することができる。
【００３７】
（第２実施形態）
次に、本発明の第２実施形態を図５及び図６に基づいて説明する。なお、第２実施形態は、第１実施形態とは冷却装置１６の構成を変更した点が相違しているものの、その他の構成は共通しているため、以下にその相違点について主に説明する。
【００３８】
図５に示すように、本実施形態の冷却装置１６は、放熱機構４０と、筐体４１と、吸引機構を構成する冷却ファン４２とを備えている。図６に示すように、放熱機構４０は、放熱部材としての無端状の受光ベルト４３、駆動ローラー４４、従動ローラー４５、駆動ローラー４４を回転させるための駆動源であるモーター４６及び吸引機構を構成する吸引ファン４７を備えている。
【００３９】
受光ベルト４３、駆動ローラー４４及び従動ローラー４５は何れも熱伝導率の高い材料から構成され、受光ベルト４３は駆動ローラー４４及び従動ローラー４５に巻き掛けられている。また、駆動ローラー４４及び従動ローラー４５は軸線が用紙Ｓの搬送方向Ｘに沿うように配置されるとともに、駆動ローラー４４及び従動ローラー４５は幅方向Ｙにおいて用紙Ｓの端部付近に設けられている。
【００４０】
吸引ファン４７は搬送方向Ｘにおいて駆動ローラー４４及び従動ローラー４５の上流側に設けられている。受光ベルト４３には複数の通気孔４３ａが設けられているとともに、駆動ローラー４４及び従動ローラー４５にも図示しない複数の通気孔が設けられている。駆動ローラー４４及び従動ローラー４５の通気孔は受光ベルト４３と対応する位置に設けられているとともに、駆動ローラー４４及び従動ローラー４５の通気孔並びに受光ベルト４３の通気孔４３ａは搬送方向Ｘにおける上流側ほどその開口面積が大きくなっている。
【００４１】
駆動ローラー４４及び従動ローラー４５の内部には各通気孔と連通する空洞が設けられていて、各吸引ファン４７は駆動ローラー４４及び従動ローラー４５の空洞内の空気を吸引するようになっている。
【００４２】
筐体４１には受光ベルト４３を露出させるための開口部４１ａ（図５参照）が設けられているとともに、筐体４１の内部は吸引室４１ｂになっている。開口部４１ａを通じて筐体４１の外部に露出する受光ベルト４３の一部分は光照射装置１５の光を受光する受光位置に配置されるとともに、筐体４１内に収容される他の部分は受光位置と離間した非受光位置に配置される態様となる。
【００４３】
したがって、モーター４６が駆動されて駆動ローラー４４が回転するのに伴って、受光ベルト４３は所定のタイミングで受光位置に配置される部分と非受光位置に配置される部分とが入れ替わるように動作（周回移動）する。すなわち、受光ベルト４３は受光位置では受光部材として機能する一方、受光によって生じた熱を放熱する放熱部材として機能する。
【００４４】
したがって、受光ベルト４３の受光位置で温度上昇した部分が非受光位置となる筐体４１内に移動すると、再度受光位置に至るまでの間に放熱時間が確保される。そして、受光ベルト４３の周回移動に伴って、放熱により温度が下がった部分が順次受光位置に配置されるので、受光に伴う受光ベルト４３の温度上昇が抑制される。
【００４５】
また、吸引ファン４７が駆動されると、駆動ローラー４４及び従動ローラー４５の通気孔並びに受光ベルト４３の通気孔４３ａを通じて、受光位置のうち特に用紙Ｓの端部付近の空気が吸引される。また、冷却ファン４２が駆動されると、受光ベルト４３の通気孔４３ａを通じて、特に受光位置の中央付近の空気が吸引されて光照射装置１５及び用紙Ｓが冷却される。また、吸引室４１ｂ内の空気が図示しない排気ダクトを通じて排出されることで、光照射装置１５及び用紙Ｓから奪った熱と受光ベルト４３から放熱された熱が筐体４１外に排熱される。
【００４６】
ここで、吸引ファン４７による吸引力が冷却ファン４２による吸引力よりも強くなるように調整することで、光を直接受光する受光ベルト４３の幅方向Ｙにおける端部付近を効率よく冷却するとともに、用紙Ｓの端部付近を冷却装置１６側に引きつけることができる。
【００４７】
以上説明した第２実施形態によれば、上記（１）と同様の効果に加えて、以下のような効果を得ることができる。
（６）受光ベルト４３の周回移動により、受光位置に配置される部分と非受光位置に配置される部分とを効率よく入れ替えることができる。また、駆動ローラー４４及び従動ローラー４５は軸線が用紙Ｓの搬送方向Ｘに沿うように配置されるので、用紙Ｓの巻き込みを抑制することができる。
【００４８】
（７）吸引ファン４７と冷却ファン４２の吸引力を調整することにより、光照射装置１５と受光ローラー３１との間に位置する用紙Ｓの端部付近を用紙Ｓの中央部よりも強く吸引するので、用紙Ｓの光照射装置１５に対する接触を抑制することができる。
【００４９】
（８）受光ベルト４３には複数の通気孔４３ａが設けられるので、通気孔４３ａを介して受光位置付近の空気を吸引することができる。また、吸引ファン４７は搬送方向Ｘの上流側に設けられ、駆動ローラー４４及び従動ローラー４５の通気孔並びに受光ベルト４３の通気孔４３ａの開口面積は用紙Ｓの搬送方向Ｘにおいて下流側よりも上流側の方が大きいので、搬送方向Ｘの上流側における吸引量を増すことができる。これにより、空気中に浮遊する紙粉やインクミストなどの浮遊物質を効率よく吸引して、冷却ファン４２に浮遊物質が付着することや、浮遊物質の付着によって通気孔３１ａが閉塞することを抑制することができる。
【００５０】
（９）放熱部材を受光ベルト４３にすることで、１つのモーター４６で受光ベルト４３を効率よく移動させることができる。
（第３実施形態）
次に、本発明の第３実施形態を図７及び図８に基づいて説明する。なお、第３実施形態は、第１実施形態とは冷却装置１６の構成を変更した点が相違しているものの、その他の構成は共通しているため、以下にその相違点について主に説明する。
【００５１】
図７に示すように、本実施形態の冷却装置１６は、放熱機構５０と、筐体５１と、吸引機構を構成する２つの冷却ファン５２とを備えている。図８に示すように、放熱機構５０は放熱部材としての受光板５３と、支持部材５４と、受光板５３を回転させるための駆動源であるモーター５５とを備えている。
【００５２】
受光板５３は、円筒の一部を構成する曲面形状をなすとともに、複数の通気孔５３ａが設けられている。なお、受光板５３の通気孔５３ａは搬送方向Ｘにおける上流側ほどその開口面積が大きくなっている。受光板５３は支持部材５４を介してモーター５５に連結され、モーター５５の正方向への駆動に伴って、二点鎖線で示す位置まで図７における時計回り方向に回動するようになっている。また、受光板５３はモーター５５の逆方向への駆動に伴って、二点鎖線で示す位置から実線で示す位置まで図７における反時計回り方向に回動するようになっている。
【００５３】
図８に示すように、筐体５１には受光板５３を露出させるための開口部５１ａが設けられているとともに、筐体５１の内部は吸引室５１ｂになっている。また、図９に示すように、２つの冷却ファン５２は筐体５１の開口部５１ａと対向する壁面に、幅方向Ｙに沿って並ぶとともに受光板５３の端部付近に位置するように取り付けられている。
【００５４】
開口部５１ａを通じて筐体５１の外部に露出する受光板５３の一部分は光照射装置１５の光を受光する受光位置に配置されるとともに、筐体５１内に収容される他の部分は受光位置と離間した非受光位置に配置される態様となる。したがって、モーター５５が駆動されて受光板５３が正逆両方向に交互に回動するのに伴って、受光板５３は所定のタイミングで受光位置に配置される部分と非受光位置に配置される部分とが入れ替わるように動作（往復移動）する。すなわち、受光板５３は受光位置では受光部材として機能する一方、受光によって生じた熱を放熱する放熱部材として機能する。
【００５５】
したがって、受光板５３の受光位置で温度上昇した部分が非受光位置となる筐体５１内に移動すると、再度受光位置に至るまでの間に放熱時間が確保される。そして、受光板５３の往復移動に伴って、放熱により温度が下がった部分が順次受光位置に配置されるので、受光に伴う受光板５３の温度上昇が抑制される。
【００５６】
また、冷却ファン５２が駆動されると、受光板５３の通気孔５３ａを通じて、受光位置付近の空気が吸引され、光照射装置１５及び用紙Ｓが冷却される。また、吸引室５１ｂ内の空気が図示しない排気ダクトを通じて排出されることで、光照射装置１５及び用紙Ｓから奪った熱や受光板５３から放熱された熱が筐体５１外に排熱される。ここで、冷却ファン５２は幅方向Ｙに沿って受光板５３の端部付近に位置するように取り付けられているので、直接光が照射される受光板５３の幅方向Ｙにおける端部付近を効率よく冷却するとともに、用紙Ｓの中央部よりも用紙Ｓの端部付近を強く吸引して冷却装置１６側に引きつけることができる。
【００５７】
以上説明した第３実施形態によれば、上記（１）と同様の効果に加えて、以下のような効果を得ることができる。
（１０）冷却ファン５２を幅方向Ｙに沿って受光板５３の端部付近に配置することにより、光照射装置１５と受光ローラー３１との間に位置する用紙Ｓの端部付近を用紙Ｓの中央部よりも強く吸引するので、用紙Ｓの光照射装置１５に対する接触を抑制することができる。
【００５８】
（１１）受光板５３には複数の通気孔５３ａが設けられるので、通気孔５３ａを介して受光位置付近の空気を吸引することができる。また、受光板５３の通気孔５３ａの開口面積は用紙Ｓの搬送方向Ｘにおいて下流側よりも上流側の方が大きいので、搬送方向Ｘの上流側における吸引量を増すことができる。これにより、空気中に浮遊する紙粉やインクミストなどの浮遊物質を効率よく吸引して、浮遊物質の付着による通気孔３１ａの閉塞を抑制することができる。
【００５９】
（１２）放熱部材を受光板５３にすることで、１つのモーター５５で受光板５３を効率よく移動させることができる。
（第４実施形態）
次に、本発明の第４実施形態を図９及び図１０に基づいて説明する。なお、第４実施形態は、第１実施形態とは冷却装置１６の構成を変更した点が相違しているものの、その他の構成は共通しているため、以下にその相違点について主に説明する。
【００６０】
図９に示すように、本実施形態の冷却装置１６は、放熱機構６０と、筐体６１と、吸引機構を構成する冷却ファン６２とを備えている。放熱機構６０は放熱部材としての受光盤６３と、受光盤６３を支持する回転軸６４と、受光盤６３とともに回転軸６４を回転させるための駆動源であるモーター６５とを備えている。
【００６１】
図１０に示すように、受光盤６３は円盤形状に形成されるとともに複数の通気孔６３ａを有する。また、受光盤６３は筐体６１の内部に向けて突設された複数の放熱フィン６６を備えている。通気孔６３ａは中心に近い回転軸６４側よりも周縁側の方がその開口面積が大きくなっているとともに、放熱フィン６６は回転軸６４を中心に放射状に配置されている。そして、受光盤６３はモーター６５の駆動に伴って回転するようになっている。
【００６２】
図９に示すように、筐体６１には受光盤６３を露出させるための円形の開口部６１ａが設けられているとともに、筐体６１の内部は吸引室６１ｂになっている。冷却ファン６２は搬送方向Ｘにおいて回転軸６４及びモーター６５の上流側に配置されるとともに、用紙Ｓの厚さ方向Ｚにおいて用紙Ｓを介して光照射装置１５と対向するように配置される。
【００６３】
そのため、開口部６１ａを通じて筐体６１の外部に露出する受光盤６３の光照射装置１５と冷却ファン６２との間に配置される搬送方向Ｘの上流側となる一部分は光照射装置１５の光を受光する受光位置に配置される。また、搬送方向Ｘにおいて回転軸６４の下流側に位置する受光盤６３の他の部分は受光位置と離間した非受光位置に配置される態様となる。すなわち、受光盤６３は受光位置では受光部材として機能する一方、受光によって生じた熱を放熱する放熱部材として機能する。
【００６４】
したがって、モーター６５が駆動されて回転軸６４が回転するのに伴って、受光盤６３は所定のタイミングで受光位置に配置される部分と非受光位置に配置される部分とが入れ替わるように動作（回転）する。これにより、受光盤６３の受光位置で温度上昇した部分が非受光位置に移動すると、再度受光位置に至るまでの間に放熱時間が確保される。そして、受光盤６３の回転に伴って、放熱により温度が下がった部分が順次受光位置に配置されるので、受光に伴う受光盤６３の温度上昇が抑制される。
【００６５】
また、冷却ファン６２が駆動されると、受光盤６３の通気孔６３ａを通じて受光位置付近の空気が吸引され、光照射装置１５及び用紙Ｓが冷却される。また、吸引室６１ｂ内の空気が図示しない排気ダクトを通じて排出されることで、光照射装置１５及び用紙Ｓから奪った熱や受光盤６３から放熱された熱が筐体６１外に排熱される。そして、冷却ファン５２は厚さ方向Ｚにおいて光照射装置１５と対向する位置に設けられているので、光照射装置１５や受光位置に配置される対象物（用紙Ｓや受光盤６３）を効率よく冷却し、温度上昇を抑制する。
【００６６】
以上説明した第４実施形態によれば、上記（１）と同様の効果に加えて、以下のような効果を得ることができる。
（１３）受光盤６３には複数の通気孔６３ａが設けられるので、通気孔６３ａを介して受光位置付近の空気を吸引することができる。また、冷却ファン５２は光照射装置１５と対向する位置に設けられているとともに、受光位置に配置される受光盤６３の通気孔６３ａの開口面積は搬送方向Ｘにおいて下流側よりも上流側の方が大きくなるので、搬送方向Ｘの上流側における吸引量を増すことができる。これにより、空気中に浮遊する紙粉やインクミストなどの浮遊物質を効率よく吸引して、浮遊物質の付着による通気孔６３ａの閉塞を抑制することができる。
【００６７】
（第５実施形態）
次に、本発明の第５実施形態を図１１に基づいて説明する。なお、第５実施形態は、第１実施形態とは冷却装置１６の構成を変更した点が相違しているものの、その他の構成は共通しているため、以下にその相違点について主に説明する。
【００６８】
図１１に示すように、本実施形態の冷却装置１６は、複数の放熱機構７０を備えている。各放熱機構７０は、光照射装置１５に対向する位置に配置される放熱部材としての受光ローラー７１〜７５と、吸引機構を構成する吸引ファン３２と、受光ローラー３１を回転させるための駆動源であるモーター３３とを備え、図示しない支持部材を介して支持板１２に支持されている。
【００６９】
受光ローラー７１〜７５は軸線が搬送方向Ｘ及び幅方向Ｙと斜めに交差するように配置されているとともに、軸線方向における長さが異なっている。そして、受光ローラー７１〜７５はそれぞれ開口面積の異なる通気孔７１ａ〜７５ａを有しているとともに、通気孔７１ａ〜７５ａの開口面積が搬送方向Ｘにおいては下流側より上流側の方が大きくなるように、幅方向Ｙにおいては一方側（後方側）よりも他方側（前方側）の方が大きくなるように配置されている。
【００７０】
以上説明した第５実施形態によれば、上記（１）及び（４）と同様の効果に加えて、以下のような効果を得ることができる。
（１４）流体噴射ヘッド２６及びプラテンドラム２０は支持板１２に片持ち支持されるので、幅方向Ｙにおいては、支持板１２に近い一方側（後方側）よりも開放された他方側（前方側）の方が空気の流量や流速が大きい傾向がある。そして、通気孔７１ａ〜７５ａの開口面積は幅方向Ｙにおいて後方側よりも前方側の方が大きいので、浮遊物質を効率よく吸引することができる。
【００７１】
なお、上記各実施形態は以下のように変更してもよい。
・第１実施形態において、各受光ローラー３１の通気孔３１ａの開口面積を幅方向Ｙにおいて一方側（後方側）よりも他方側（前方側）の方が大きくなるようにしてもよいし、幅方向Ｙにおいて一方側（後方側）よりも他方側（前方側）の吸引ファン３２の吸引力を大きくしてもよい。また、第２実施形態において、他方側（前方側）の吸引ファン４７の吸引力を一方側（後方側）の吸引ファン４７の吸引力よりも大きくしてもよい。また、第３実施形態において、他方側（前方側）の冷却ファン５２の吸引力を一方側（後方側）の冷却ファン５２の吸引力よりも大きくしてもよい。また、第４実施形態において、冷却ファン６２を筐体６１の幅方向Ｙにおいて他方側（前方側）となる位置に配置してもよい。
【００７２】
これら各構成においても、幅方向Ｙにおいて他方側（前方側）の吸引量を増して、上記（１４）と同様の効果を得ることができる。
・搬送方向Ｘの上流側において吸引力が強くなるように、受光ローラー３１内に隔壁を設けて空洞内に圧力差を発生させるようにしてもよい。
【００７３】
・受光ローラー３１の軸線が幅方向Ｙに沿うように配置されてもよいし、駆動ローラー４４及び従動ローラー４５の軸線が幅方向Ｙに沿うように配置されてもよい。
・流体を受容する媒体は、樹脂、金属、ガラス、セラミック等のインクが浸透しない材料で製造されたフィルムや、食物繊維を原料としてインクが浸透する用紙としてもよい。
【００７４】
・媒体は長尺紙に限らず、単票紙など所定長さにカットされたシート状媒体を用いてもよい。
・搬送路は平面状の支持面を有する板状のプラテンから構成してもよい。
【００７５】
・光源２７はメタルハライドランプに限らず、硬化させる流体に応じて、水銀ランプなど任意の光源を利用することができる。
・上記実施形態では、流体噴射装置をインクジェット式プリンターに具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、光通信素子等に用いられる微小半球レンズ（光学レンズ）などを形成するために紫外線硬化樹脂等の透明樹脂液を基板上に噴射する液体噴射装置を採用してもよい。
【符号の説明】
【００７６】
１１…流体噴射装置としてのプリンター、１２…支持板、１５…光照射装置、１６…冷却装置、２０…搬送路を構成するプラテンドラム、２６…流体噴射ヘッド、３１，７１〜７５…放熱部材としての受光ローラー、３１ａ，４３ａ，５３ａ，６３ａ，７１ａ，７２ａ，７３ａ，７４ａ，７５ａ…通気孔、３２，４７…吸引機構を構成する吸引ファン、４３…放熱部材としての受光ベルト、５２，６２…吸引機構を構成する冷却ファン、５３…放熱部材としての受光板、６３…放熱部材としての受光盤、Ｉｎ…媒体に付着した流体としてのインク、Ｓ…媒体としての用紙、Ｘ…搬送方向、Ｙ…幅方向。
【図１】
2011126153.tif 000003
【図２】
2011126153.tif 000004
【図３】
2011126153.tif 000005
【図４】
2011126153.tif 000006
【図５】
2011126153.tif 000007
【図６】
2011126153.tif 000008
【図７】
2011126153.tif 000009
【図８】
2011126153.tif 000010
【図９】
2011126153.tif 000011
【図１０】
2011126153.tif 000012
【図１１】
2011126153.tif 000013